【手続補正書】
【提出日】平成31年3月18日(2019.3.18)
【手続補正１】
【補正対象書類名】特許請求の範囲
【補正対象項目名】全文
【補正方法】変更
【補正の内容】
【特許請求の範囲】
【請求項１】
無線通信システムにおいて端末（ＵＥ）が再分散手順を実行する方法であって、前記方法は、
ネットワークから再分散要素（Ｒｅｄｉｓｔｒｉｂｕｔｉｏｎ  Ｆａｃｔｏｒ）を受信することと、
前記受信された再分散要素のうちの少なくとも１つの有効な（Ｖａｌｉｄ）再分散要素に基づいて、少なくとも１つの再分散範囲（Ｒｅｄｉｓｔｒｉｂｕｔｉｏｎ  Ｒａｎｇｅ）を取得することと、
前記取得された再分散範囲に基づいて、前記再分散手順を実行することと
を含む、方法。
【請求項２】
前記再分散範囲は、以下の数式：
【化１１】
2018519691.tif 000001
に基づいて取得される、請求項１に記載の方法。
【請求項３】
前記再分散要素は、負荷分散のための周波数毎の再分散確率値であり、
前記有効な再分散要素は、前記ＵＥに対して有効な周波数の再分散確率値である、請求項２に記載の方法。
【請求項４】
前記再分散手順は、前記ＵＥに対して有効な周波数で実行される、請求項３に記載の方法。
【請求項５】
前記再分散範囲は、以下の数式：
【化１２】
2018519691.tif 000002
に基づいて取得される、請求項１に記載の方法。
【請求項６】
前記再分散要素は、負荷分散のためのセル毎の再分散確率値であり、
前記有効な再分散要素は、前記ＵＥに対して有効なセルの再分散確率値である、請求項５に記載の方法。
【請求項７】
前記再分散要素は、システム情報ブロック（ＳＩＢ；Ｓｙｓｔｅｍ  Ｉｎｆｏｒｍａｔｉｏｎ  Ｂｌｏｃｋ）に含まれて受信される、請求項１に記載の方法。
【請求項８】
前記ＵＥが前記ネットワークから周波数リストを受信することをさらに含む、請求項１に記載の方法。
【請求項９】
前記周波数リストは、ＳＩＢに含まれて受信される、請求項８に記載の方法。
【請求項１０】
前記再分散範囲は、前記ＵＥに対して有効な周波数と前記周波数リストに含まれている周波数とが異なる場合に取得される、請求項８に記載の方法。
【請求項１１】
前記ＵＥは、ＲＲＣ＿ＩＤＬＥモードである、請求項１に記載の方法。
【請求項１２】
無線通信システムにおいて再分散手順を実行する端末（ＵＥ）であって、前記ＵＥは、
メモリと、
送受信機と、
前記メモリおよび前記送受信機に動作可能に連結されるプロセッサと
を備え、
前記プロセッサは、
ネットワークから再分散要素（Ｒｅｄｉｓｔｒｉｂｕｔｉｏｎ  Ｆａｃｔｏｒ）を受信するように前記送受信機を制御することと、
前記受信された再分散要素のうちの少なくとも１つの有効な（Ｖａｌｉｄ）再分散要素に基づいて、少なくとも１つの再分散範囲（Ｒｅｄｉｓｔｒｉｂｕｔｉｏｎ  Ｒａｎｇｅ）を取得することと、
前記取得された再分散範囲に基づいて、前記再分散手順を実行することと
を行うように構成される、ＵＥ。
【請求項１３】
前記再分散範囲は、以下の数式：
【化１３】
2018519691.tif 000003
に基づいて取得される、請求項１２に記載のＵＥ。
【請求項１４】
前記再分散要素は、負荷分散のための周波数毎の再分散確率値であり、
前記有効な再分散要素は、前記ＵＥに対して有効な周波数の再分散確率値である、請求項１３に記載のＵＥ。
【請求項１５】
前記再分散手順は、前記ＵＥに対して有効な周波数で実行される、請求項１４に記載のＵＥ。
【請求項１６】
前記再分散範囲は、以下の数式：
【化１４】
2018519691.tif 000004
に基づいて取得される、請求項１２に記載のＵＥ。
【請求項１７】
前記再分散要素は、負荷分散のためのセル毎の再分散確率値であり、
前記有効な再分散要素は、前記ＵＥに対して有効なセルの再分散確率値である、請求項１６に記載のＵＥ。
【請求項１８】
前記再分散要素は、システム情報ブロック（ＳＩＢ；Ｓｙｓｔｅｍ  Ｉｎｆｏｒｍａｔｉｏｎ  Ｂｌｏｃｋ）に含まれて受信される、請求項１２に記載のＵＥ。
【請求項１９】
前記ＵＥは、ＲＲＣ＿ＩＤＬＥモードである、請求項１２に記載のＵＥ。
【手続補正２】
【補正対象書類名】明細書
【補正対象項目名】００１６
【補正方法】変更
【補正の内容】
【００１６】
他の実施例において、無線通信システムにおける再分散範囲（Ｒｅｄｉｓｔｒｉｂｕｔｉｏｎ  Ｒａｎｇｅ）を計算する端末が提供される。前記端末は、メモリ；送受信機；及び、前記メモリと前記送受信機を連結するプロセッサ；を含み、前記プロセッサは、前記送受信機がネットワークから再分散要素（Ｒｅｄｉｓｔｒｉｂｕｔｉｏｎ  Ｆａｃｔｏｒ）を受信するように制御し、前記受信された再分散要素のうち有効な（Ｖａｌｉｄ）再分散要素に基づいて再分散範囲を計算するように構成される。
本発明は、例えば、以下を提供する。
（項目１）
無線通信システムにおける端末が再分散範囲（Ｒｅｄｉｓｔｒｉｂｕｔｉｏｎ  Ｒａｎｇｅ）を計算する方法において、
ネットワークから再分散要素（Ｒｅｄｉｓｔｒｉｂｕｔｉｏｎ  Ｆａｃｔｏｒ）を受信し、
前記受信された再分散要素のうち有効な（Ｖａｌｉｄ）再分散要素に基づいて再分散範囲を計算することを含むことを特徴とする方法。
（項目２）
前記再分散範囲は、以下の数式のように計算されることを特徴とする項目１に記載の方法。
【化１１】
2018519691.tif 000005
（項目３）
前記再分散要素は、負荷分散のための周波数別再分散確率値であり、
前記有効な再分散要素は、前記端末が利用可能な周波数の再分散確率値であることを特徴とする項目２に記載の方法。
（項目４）
前記端末は、前記計算された再分散範囲に基づいて再分散手順を実行することをさらに含むことを特徴とする項目３に記載の方法。
（項目５）
前記再分散手順は、前記端末が利用可能な周波数間で実行されることを特徴とする項目４に記載の方法。
（項目６）
前記再分散範囲は、以下の数式のように計算されることを特徴とする項目１に記載の方法。
【化１２】
2018519691.tif 000006
（項目７）
前記再分散要素は、負荷分散のためのセル別再分散確率値であり、
前記有効な再分散要素は、前記端末が利用可能なセルの再分散確率値であることを特徴とする項目６に記載の方法。
（項目８）
前記再分散要素は、システム情報ブロック（ＳＩＢ；Ｓｙｓｔｅｍ  Ｉｎｆｏｒｍａｔｉｏｎ  Ｂｌｏｃｋ）に含まれて受信されることを特徴とする項目１に記載の方法。
（項目９）
前記端末は、前記ネットワークから周波数リストを受信することをさらに含むことを特徴とする項目１に記載の方法。
（項目１０）
前記周波数リストは、システム情報ブロック（ＳＩＢ；Ｓｙｓｔｅｍ  Ｉｎｆｏｒｍａｔｉｏｎ  Ｂｌｏｃｋ）に含まれて受信されることを特徴とする項目９に記載の方法。
（項目１１）
前記再分散範囲は、前記端末が利用可能な周波数と前記周波数リストに含まれている周波数が異なる場合に計算されることを特徴とする項目９に記載の方法。
（項目１２）
前記端末は、ＲＲＣ＿ＩＤＬＥモードであることを特徴とする項目１に記載の方法。
（項目１３）
無線通信システムにおける再分散範囲（Ｒｅｄｉｓｔｒｉｂｕｔｉｏｎ  Ｒａｎｇｅ）を計算する端末において、
メモリ；送受信機；及び、前記メモリと前記送受信機を連結するプロセッサ；を含み、前記プロセッサは、
前記送受信機がネットワークから再分散要素（Ｒｅｄｉｓｔｒｉｂｕｔｉｏｎ  Ｆａｃｔｏｒ）を受信するように制御し、
前記受信された再分散要素のうち有効な（Ｖａｌｉｄ）再分散要素に基づいて再分散範囲を計算するように構成されることを特徴とする端末。
（項目１４）
前記再分散範囲は、以下の数式のように計算されることを特徴とする項目１３に記載の端末。
【化１３】
2018519691.tif 000007
（項目１５）
前記再分散要素は、負荷分散のための周波数別再分散確率値であり、
前記有効な再分散要素は、前記端末が利用可能な周波数の再分散確率値であることを特徴とする項目１４に記載の端末。